(57)【要約】【課題】  メインラックの切換えを円滑に行うこと。【解決手段】  光ピックアップ１２が最前進ａ位置に達したときに駆動ピニオン１５とメインラック１４Ａとの噛合いを解消しサブラック１４Ｂだけを前進ａさせて第１クラッチ機構３５を介してプレートトリガ１９を作動させ、そのプレートトリガ１９の作動に連動してトラバースシャーシ３を下動させ、トレイを前進させるものであって、メインラック１４Ａの歯部の後端数枚を除去して凹溝３２が形成され、凹溝３２内に少数の歯部を有する補助ラック３３が出没可能に挿入され、補助ラック３３をメインラック１４Ａと面一状に位置決めする弾性支持機構３４がメインラック１４Ａに設けられており、光ピックアップ１２が最前進ａ位置に達する直前で弾性支持機構３４をトラバースシャーシ３のストッパ３ａに当接させることにより、補助ラック３３を駆動ピニオン１５から離間させる。【選択図】        図８
2006024314.tif 000002
【特許請求の範囲】
【請求項１】
ディスク載置用トレイを前後進可能に支持するローダーシャーシにトラバースシャーシ
が上下動可能に連結され、該トラバースシャーシにターンテーブル付きスピンドルモータ
が固定されると共に、そのトラバースシャーシに光ピックアップが前後進可能に配置され
、該光ピックアップに一体連結した１枚の板材からなるメインラックと、該メインラック
に一定範囲内移動可能に連結した状態で後進側に付勢するサブラックとからなるダブルラ
ックが設けられ、該ダブルラックに噛合する駆動ピニオンを正逆回転させるフィードモー
タがトラーバースシャーシに設けられており、前記フィードモータを駆動して駆動ピニオ
ンを正転させることによりダブルラックを介して光ピックアップを前進させ、その光ピッ
クアップが最前進位置に達したときに前記駆動ピニオンとメインラックとの噛合いを解消
しサブラックだけを前進させてプレートトリガを作動させ、そのプレートトリガの作動に
連動してトラーバースシャーシを下動させ、トレイを前進させるようにしたディスク装置
において、前記メインラックの歯部の後端数枚を除去して凹溝が形成され、該凹溝内に少
数の歯部を有する補助ラックが出没可能に挿入され、該補助ラックを支持する弾性支持機
構がメインラックに設けられ、該弾性支持機構が、補助ラックから延びる回動アームと、
該回動アームの中央部から分岐する弾性アームと、その回動アームの基端部に一体突設し
た操作レバーとを有し、前記回動アームの基端部に貫設した軸孔をメインラック上の支軸
に回転可能に嵌合させ弾性アームと操作レバーとをメインラック上の係合ピンにそれぞれ
係合させることにより補助ラックをメインラックと面一状に位置決めし、光ピックアップ
が最前進位置に達する直前で操作レバーをストッパに当接させることにより、弾性アーム
に抗して回動アームを回動させて補助ラックを駆動ピニオンから離間させるようにしたこ
とを特徴とするディスク装置。
【請求項２】
ディスク載置用トレイを前後進可能に支持するローダーシャーシにトラバースシャーシ
が上下動可能に連結され、該トラバースシャーシにターンテーブル付きスピンドルモータ
が固定されると共に、そのトラバースシャーシに光ピックアップが前後進可能に配置され
、該光ピックアップに一体連結した１枚の板材からなるメインラックと、該メインラック
に一定範囲内移動可能に連結した状態で後進側に付勢するサブラックとからなるダブルラ
ックが設けられ、該ダブルラックに噛合する駆動ピニオンを正逆回転させるフィードモー
タがトラーバースシャーシに設けられており、前記フィードモータを駆動して駆動ピニオ
ンを正転させることによりダブルラックを介して光ピックアップを前進させ、その光ピッ
クアップが最前進位置に達したときに前記駆動ピニオンとメインラックとの噛合いを解消
しサブラックだけを前進させてプレートトリガを作動させ、そのプレートトリガの作動に
連動してトラーバースシャーシを下動させ、トレイを前進させるようにしたディスク装置
において、前記メインラックの歯部の後端数枚を除去して凹溝が形成され、該凹溝内に少
数の歯部を有する補助ラックが出没可能に挿入され、該補助ラックをメインラックと面一
状に位置決めする弾性支持機構がメインラックに設けられており、光ピックアップが最前
進位置に達する直前で弾性支持機構をストッパに当接させることにより、補助ラックを駆
動ピニオンから離間させるようにしたことを特徴とするディスク装置。
【請求項３】
前記弾性支持機構が、補助ラックから延びる回動アームと、該回動アームの中央部から
分岐する弾性アームと、その回動アームの基端部に一体突設した操作レバーとを有し、前
記回動アームの基端部に貫設した軸孔をメインラック上の支軸に回転可能に嵌合させ弾性
アームと操作レバーとをメインラック上の係合ピンにそれぞれ係合させることにより補助
ラックをメインラックと面一状に位置決めし、光ピックアップが最前進位置に達する直前
で操作レバーをストッパに当接させることにより、弾性アームに抗して回動アームを回動
させて補助ラックを駆動ピニオンから離間させるようにしたことを特徴とする請求項２に
記載のディスク装置。
【発明の詳細な説明】
【技術分野】
【０００１】
本発明は、例えばＤＶＤレコーダなどのディスク装置に関し、光ピックアップの最前進
状態から次の動作への移行を円滑に行えるようにしたものである。
【背景技術】
【０００２】
従来、ディスク装置の技術として特許文献１などに記載したものがあり、その一例を図
１２〜図１４に基づいて説明すると、これはＤＶＤレコーダであって、ディスクＤ載置用
トレイ１を前後進ａ，ｂ可能に支持するローダーシャーシ２の内部空間２ａにトラバース
シャーシ３とトラバースホルダ５とが配置され、トラバースシャーシ３の四隅部を弾性ゴ
ムからなるダンパー４を介してローダーシャーシ２とトラバースホルダ５とに連結するこ
とにより、該トラバースシャーシ３が後側ダンパー４を中心にして上下動ｅ，ｆ可能に形
成され、トラバースホルダ５の前端起立部５ａに突設したカムピン６がローダーシャーシ
２の前部に前後進ａ，ｂとは直行する左右方向ｃ，ｄに移動可能に配置したカムスライダ
７のカム溝８に嵌入されている。
【０００３】
前記トラバースシャーシ３の前部にターンテーブル１０付きスピンドルモータ１１が固
定されると共に、そのトラバースシャーシ３に光ピックアップ１２がガイドシャフト１３
に沿って前後進ａ，ｂ可能に配置され、光ピックアップ１２に一体連結した１枚の板材か
らなるメインラック１４Ａと、該メインラック１４Ａに一定範囲内移動可能に連結した状
態でばね（図示せず）により後進ｂ側に付勢されたサブラック１４Ｂとからなるダブルラ
ック１４が設けられ、該ダブルラック１４に係脱可能に噛合する駆動ピニオン１５をウォ
−ムギア機構１６を介して正逆回転ｇ，ｈさせるフィードモータ１７がトラバースシャー
シ３に設けられている。
【０００４】
図１２中、１９は前端起立部５ａの下面中央に左右方向ｃ，ｄに一定範囲内移動可能に
配置したプレートトリガであって、該プレートトリガ１９の前端から起立する起立板１９
ａに突設したトリガピン２０がカムスライダ７のピン溝２１に嵌入されている。２３はカ
ムスライダ７の一端に形成した切換ラックであって、該切換ラック２３に対向してローダ
ーシャーシ２に従動ピニオン２４が正逆回転ｉ，ｊ可能に配置され、該従動ピニオン２４
がギヤ機構（図示せず）を介してフィードモータ１７に連動連結され、その従動ピニオン
２４に対向してトレイ１の下面にトレイラック２５が一体突設されている。２６ａ，２６
ｂはカムスライダ７に突設した左右一対のガイドピンであって、トレイ１の下面に一体形
成した左右一対のガイド溝２７ａ，２７ｂに係合されている。図１３中、２８はローダー
シャーシ２の上部に架設した天板部２ｂの中央収納部に昇降可能に配置した磁石付きディ
スクホルダである。
【０００５】
上記構成において、図１２の実線及び図１３（ａ）は、プレイモードを示すものであっ
て、トラバースシャーシ３を上動ｆさせることにより、ターンテーブル１０とディスクホ
ルダ２８とでディスクＤを挟持し、スピンドルモータ１１の駆動によりターンテーブル１
０を介してディスクＤを高速回転させ、フィードモータ１７によりウォ−ムギア機構１６
、駆動ピニオン１５及びダブルラック１４を介して光ピックアップ１２を前後進ａ，ｂさ
せ、該光ピックアップ１２によりディスクＤに記録されている映像情報の再生や録画また
は消去をおこなう。この場合、トラバースシャーシ３が各ダンパー４により弾性的に支持
されているので、外部から加わる振動を吸収してトラバースシャーシ３を静止させ、また
、駆動ピニオン１５に対してメインラック１４Ａとサブラック１４Ｂとを同時に噛合させ
てバックラッシュを解消する。
【０００６】
プレイモードからエジェクトモードに切り換えると、スピンドルモータ１１の駆動を停
止し、フィードモータ１７の駆動により、ウォ−ムギア機構１６を介して駆動ピニオン１
５を正転ｇさせることにより、ダブルラック１４を介して光ピックアップ１２を前進ａさ
せ、図１４（ａ）に示すように、光ピックアップ１２がスピンドルモータ１１に当接して
最前進ａ位置に達したときに、駆動ピニオン１５とメインラック１４Ａとの噛合いを解消
してサブラック１４Ｂだけを前進ａさせ〔図１４（ｂ）参照〕、その前進ａしたサブラッ
ク１４Ｂによりクラッチ機構（図示せず）を介してプレートトリガ１９を一方向ｃにスラ
イドさせ、これによりトリガピン２０を介してカムスライダ７も同方向ｃに一体的にスラ
イドさせ、該カムスライダ７の切換ラック２３を従動ピニオン２４に噛合させる。
【０００７】
続いて、フィードモータ１７により正転ｉする従動ピニオン２４により切換ラック２３
を介してカムスライダ７を一方向ｃにスライドさせ、カム溝８及びカムピン６を介してト
ラバースホルダ５が下降され、前側ダンパー４を介してトラバースシャーシ３の前部が押
し下げられる。これにより、該トラバースシャーシ３が後側ダンパー４を中心に下動ｅさ
れ、ターンテーブル１０がトレイ１よりも下がって、該ターンテーブル１０上のディスク
Ｄがトレイ１に受け渡される。
【０００８】
前記カムスライダ７が一方向ｃにスライドされて左端に達する直前に、各ガイドピン２
６ａ，２６ｂが各ガイド溝２７ａ，２７ｂのコーナ斜面３０に押し付けられて、トレイ１
をわずかに前進ａさせ、トレイラック２５を従動ピニオン２４に噛合させ、それと同時に
、切換ラック２３が従動ピニオン２４から外れて縁が切れる。
【０００９】
次に、前記従動ピニオン２４の正転ｉにより、トレイラック２５を介してトレイ１が前
進ａされ〔図１３（ｂ）参照〕、その最前進ａ状態のトレイ１からディスクＤを取り出し
たり、そのトレイ１上に新たなディスクＤを載置した後、エジェクト釦を押すことにより
、上記と逆の手順でプレイモードに戻される。
【特許文献１】実開昭６４−８２５８号公報
【発明の開示】
【発明が解決しようとする課題】
【００１０】
上記従来の構成では、図１５に示すように、光ピックアップ１２を前進ａさせて、該光
ピックアップ１２の対物レンズの中心からターンテーブル１０の中心までの距離Ｈが最小
規格間隔（例えば２２ｍｍ）に達するまでは、駆動ピニオン１５に対してメインラック１
４Ａとサブラック１４Ｂとに同時に噛合させてバックラッシュを解消することが規格によ
り決められており、その最小規格間隔（例えば２２ｍｍ）に達したときから光ピックアッ
プ１２をスピンドルモータ１１に当接させて前進ａを停止させるまでの遊び間隔αで、駆
動ピニオン１５に対するメインラック１４Ａの噛合いを解消するようになっている。通常
、その遊び間隔αはメインラック１４Ａのモジュールよりも大きく設定（例えば２ｍｍ）
されているが、その遊び間隔αが規格で短く設定（例えば０．５ｍｍ）され、その遊び間
隔αに比べてメインラック１４Ａのモジュールが大きいときには、駆動ピニオン１５とメ
インラック１４Ａとの噛合いを円滑に解消することができなくなり、フィードモータ１７
に過大な負荷がかかって故障の原因になる。
【００１１】
本発明は、上記従来の欠点に鑑み、メインラックの切換えを円滑に行うようにしたディ
スク装置を提供することを目的としている。
【課題を解決するための手段】
【００１２】
上記目的を達成するため、請求項１記載の発明は、ディスク載置用トレイを前後進可能
に支持するローダーシャーシにトラバースシャーシが上下動可能に連結され、該トラバー
スシャーシにターンテーブル付きスピンドルモータが固定されると共に、そのトラバース
シャーシに光ピックアップが前後進可能に配置され、該光ピックアップに一体連結した１
枚の板材からなるメインラックと、該メインラックに一定範囲内移動可能に連結した状態
で後進側に付勢するサブラックとからなるダブルラックが設けられ、該ダブルラックに噛
合する駆動ピニオンを正逆回転させるフィードモータがトラーバースシャーシに設けられ
ており、前記フィードモータを駆動して駆動ピニオンを正転させることによりダブルラッ
クを介して光ピックアップを前進させ、その光ピックアップが最前進位置に達したときに
前記駆動ピニオンとメインラックとの噛合いを解消しサブラックだけを前進させてプレー
トトリガを作動させ、そのプレートトリガの作動に連動してトラーバースシャーシを下動
させ、トレイを前進させるようにしたディスク装置において、前記メインラックの歯部の
後端数枚を除去して凹溝が形成され、該凹溝内に少数の歯部を有する補助ラックが出没可
能に挿入され、該補助ラックを支持する弾性支持機構がメインラックに設けられ、該弾性
支持機構が、補助ラックから延びる回動アームと、該回動アームの中央部から分岐する弾
性アームと、その回動アームの基端部に一体突設した操作レバーとを有し、前記回動アー
ムの基端部に貫設した軸孔をメインラック上の支軸に回転可能に嵌合させ弾性アームと操
作レバーとをメインラック上の係合ピンにそれぞれ係合させることにより補助ラックをメ
インラックと面一状に位置決めし、光ピックアップが最前進位置に達する直前で操作レバ
ーを前記ストッパに当接させることにより、弾性アームに抗して回動アームを回動させて
補助ラックを駆動ピニオンから離間させるようにしたことを特徴としている。
【００１３】
請求項２に記載の発明は、ディスク載置用トレイを前後進可能に支持するローダーシャ
ーシにトラバースシャーシが上下動可能に連結され、該トラバースシャーシにターンテー
ブル付きスピンドルモータが固定されると共に、そのトラバースシャーシに光ピックアッ
プが前後進可能に配置され、該光ピックアップに一体連結した１枚の板材からなるメイン
ラックと、該メインラックに一定範囲内移動可能に連結した状態で後進側に付勢するサブ
ラックとからなるダブルラックが設けられ、該ダブルラックに噛合する駆動ピニオンを正
逆回転させるフィードモータがトラーバースシャーシに設けられており、前記フィードモ
ータを駆動して駆動ピニオンを正転させることによりダブルラックを介して光ピックアッ
プを前進させ、その光ピックアップが最前進位置に達したときに前記駆動ピニオンとメイ
ンラックとの噛合いを解消しサブラックだけを前進させてプレートトリガを作動させ、そ
のプレートトリガの作動に連動してトラーバースシャーシを下動させ、トレイを前進させ
るようにしたディスク装置において、前記メインラックの歯部の後端数枚を除去して凹溝
が形成され、該凹溝内に少数の歯部を有する補助ラックが出没可能に挿入され、該補助ラ
ックをメインラックと面一状に位置決めする弾性支持機構がメインラックに設けられてお
り、光ピックアップが最前進位置に達する直前で弾性支持機構をストッパに当接させるこ
とにより、補助ラックを駆動ピニオンから離間させるようにしたことを特徴としている。
【００１４】
請求項３に記載の発明は、請求項２に記載の発明において、前記弾性支持機構が、補助
ラックから延びる回動アームと、該回動アームの中央部から分岐する弾性アームと、その
回動アームの基端部に一体突設した操作レバーとを有し、前記回動アームの基端部に貫設
した軸孔をメインラック上の支軸に回転可能に嵌合させ弾性アームと操作レバーとをメイ
ンラック上の係合ピンにそれぞれ係合させることにより補助ラックをメインラックと面一
状に位置決めし、光ピックアップが最前進位置に達する直前で操作レバーをストッパに当
接させることにより、弾性アームに抗して回動アームを回動させて補助ラックを駆動ピニ
オンから離間させるようにしたことを特徴としている。
【発明の効果】
【００１５】
請求項１に記載の発明は、実施の一形態（図１〜図１０参照）に対応するものであって
、これによれば、光ピックアップを前進させて該光ピックアップの対物レンズの中心から
ターンテーブルの中心までの距離が最小規格間隔に達するまでは、駆動ピニオンに対して
メインラックとサブラックとを同時に噛合させてバックラッシュを解消することができ、
それに加えて、その最小規格間隔に達したときから光ピックアップをスピンドルモータに
当接させて前進を停止させるまでの遊び間隔が規格でメインラックのモジュールよりも短
く設定（例えば０．５ｍｍ）されている場合でも、その遊び間隔分だけ光ピックアップが
進む間に、メインラックの後部を形成する補助ラックを駆動ピニオンから離間させて、そ
の駆動ピニオンとメインラックとの噛合いが解消されるので、その噛合いが従来のように
解消されずにフィードモータに過大な負荷がかって故障するという事故を防ぐことができ
る。
【００１６】
前記補助ラックから延びる回動アームの基端部に貫設した軸孔をメインラック上の支軸
に回転可能に嵌合させ該回動アームから分岐する弾性アームとその回動アームの基端部に
一体突設した操作レバーとをメインラック上の係合ピンにそれぞれ係合させるだけで、前
記補助ラックをメインラックと面一状に位置決めすることができ、また、上記各部品（補
助ラック、回動アーム、弾性アーム及び操作レバー）を合成樹脂材で一体成形することに
より、部品点数が増加せず、安価に量産することができる。
【００１７】
請求項２に記載の発明は、基本形態に対応するものであって、これによれば、光ピック
アップを前進させて該光ピックアップの対物レンズの中心からターンテーブルの中心まで
の距離が最小規格間隔に達したときから光ピックアップをスピンドルモータに当接させて
前進を停止させるまでの遊び間隔が規格でメインラックのモジュールよりも短く設定（例
えば０．５ｍｍ）されている場合でも、その遊び間隔分だけ光ピックアップが進む間に、
メインラックの後部を形成する補助ラックを駆動ピニオンから離間させて、その駆動ピニ
オンとメインラックとの噛合いが解消されるので、その噛合いが従来のように解消されず
にフィードモータに過大な負荷がかって故障するという事故を防ぐことができる。
【００１８】
請求項３に記載の発明によれば、補助ラックから延びる回動アームの基端部に貫設した
軸孔をメインラック上の支軸に回転可能に嵌合させ該回動アームから分岐する弾性アーム
とその回動アームの基端部に一体突設した操作レバーとをメインラック上の係合ピンにそ
れぞれ係合させるだけで、前記補助ラックをメインラックと面一状に位置決めすることが
でき、また、上記各部品（補助ラック、回動アーム、弾性アーム及び操作レバー）を合成
樹脂材で一体成形することにより、部品点数が増加せず、安価に量産することができる。
【発明を実施するための最良の形態】
【００１９】
図１〜図６は本発明の実施の一形態であるＤＶＤレコーダを示すものであって、メイン
ラック１４Ａの歯部の後端数枚を除去して凹溝３２が形成され、該凹溝３２内に少数の歯
部を有する合成樹脂製補助ラック３３が出没可能に挿入され、該補助ラック３３をメイン
ラック１４Ａと面一状に位置決めする弾性支持機構３４がメインラック１４Ａに設けられ
、サブラック１４Ｂとプレートトリガ１９とを着脱可能に連結するための第１クラッチ機
構３５と、従動ピニオン２４をフィードモータ１７に着脱可能に連結するための第２クラ
ッチ機構３６とが設けられている。上記以外の構成は図１２〜図１４に示す構成とほぼ同
じであるから、同一部分に同一符号を付してその説明を省略する。
【００２０】
前記弾性支持機構３４は、図６に示すように、補助ラック３３から延びる回動アーム３
８と、該回動アーム３８の中央部から分岐する弾性アーム３９と、その回動アーム３８の
基端部に一体突設した操作レバー４０とを有しており、回動アーム３８の基端部に貫設し
た軸孔４１をメインラック１４Ａ上の支軸４２に回転可能に嵌合させ、弾性アーム３９と
操作レバー４０とをメインラック１４Ａ上の係合ピン４３，４４にそれぞれ係合させるだ
けで、補助ラック３３をメインラック１４Ａと面一状に位置決めすることができる。この
場合、上記各部品（補助ラック３３、回動アーム３８、弾性アーム３９及び操作レバー４
０）が合成樹脂材で一体成形されているので、部品点数が増加せず、安価に量産すること
ができる。なお、３ａは操作レバー４０に対向してトラバースシャーシ３に一体突設した
ストッパである。
【００２１】
前記第１クラッチ機構３５は、図７に示すように、トラバースシャーシ３の下面に枢支
軸４６を介して回動可能に枢着されたクラッチレバー４７を有し、該クラッチレバー４７
の基端に形成した基端扇形歯部４７ａがプレートトリガ１９の後側ラック１９ｂに噛合さ
れると共に、そのクラッチレバー４７の先端に形成した先端扇形歯部４７ｂがサブラック
１４Ｂの先端に形成した前側ラック１４ａに対向されており、プレイモードでは、クラッ
チレバー４７の先端扇形歯部４７ｂがサブラック１４Ｂの前側ラック１４ａから離間され
てクラッチオフの状態にされ〔図７（ａ）参照〕、エジェクトモードでは、前進ａするサ
ブラック１４Ｂの前側ラック１４ａが先端扇形歯部４７ｂに係合されてクラッチオン状態
にされ、プレートトリガ１９を一方向ｃにスライドさせる（図８参照）。
【００２２】
前記第２クラッチ機構３６は、図４に示すように、従動ピニオン２４と同心状に一体形
成した大径歯車４９の上部にクラッチ溝５０を部分的に形成し、該クラッチ溝５０にクラ
ッチ歯車５１の外周部を部分的に嵌入させたものであって、該クラッチ歯車５１は歯車機
構５２（図１参照）を介してフィードモータ１７に連動連結されており、図４に示すクラ
ッチオフ状態から従動ピニオン２４を正逆回転ｉ，ｊさせることにより、大径歯車４９を
クラッチ歯車５１に噛合させて、フィードモータ１７の動力を従動ピニオン２４に伝達す
る。
【００２３】
上記構成において、図１、図３及び図５の（ａ）は、プレイモードを示すものであって
、第１、第２のクラッチ機構３５，３６がオフ状態にされると共に、切換ラック２３が従
動ピニオン２４に噛合され、トラバースシャーシ３を上動ｆさせることにより、ターンテ
ーブル１０とディスクホルダ２８とでディスクＤを挟持し、スピンドルモータ１１の駆動
によりターンテーブル１０を介してディスクＤを高速回転させ、フィードモータ１７によ
りウォ−ムギア機構１６、駆動ピニオン１５及びダブルラック１４を介して光ピックアッ
プ１２を前後進ａ，ｂさせ〔図７（ａ）参照〕、該光ピックアップ１２によりディスクＤ
に記録されている映像情報の再生や録画または消去をおこなう。この場合、トラバースシ
ャーシ３が各ダンパー４により弾性的に支持されているので、外部から加わる振動を吸収
してトラバースシャーシ３を静止させ、また、駆動ピニオン１５に対してメインラック１
４Ａとサブラック１４Ｂとを同時に噛合させてバックラッシュを解消する。
【００２４】
プレイモードからエジェクトモードに切り換えると、スピンドルモータ１１の駆動を停
止し、フィードモータ１７の駆動により、ウォ−ムギア機構１６を介して駆動ピニオン１
５を正転ｇさせることにより、ダブルラック１４を介して光ピックアップ１２を前進ａさ
せ、図７（ｂ）に示すように、光ピックアップ１２が最前進ａ位置に達する直前で操作レ
バー４０をストッパ３ａに当接させることにより、弾性アーム３９に抗して回動アーム３
８を回動させて補助ラック３３を駆動ピニオン１５から離間させる。
【００２５】
次に、図８に示すように、光ピックアップ１２がスピンドルモータ１１に当接して最前
進ａ位置に達したときに、駆動ピニオン１５とメインラック１４Ａとの噛合いを解消して
サブラック１４Ｂだけを前進ａさせ、該サブラック１４Ｂの前側ラック１４ａをクラッチ
レバー４７の先端扇形歯部４７ｂに噛合させることにより、第１クラッチ機構３５をクラ
ッチオン状態とし、該クラッチレバー４７を回動させ、そのクラッチレバー４７の基端扇
形歯部４７ａ及び後側ラック１９ｂを介してプレートトリガ１９を一方向ｃにスライドさ
せ、これにより、トリガピン２０によりカムスライダ７も同方向ｃに一体的にスライドさ
せ〔図５（ｂ）参照〕、該カムスライダ７の切換ラック２３を介して従動ピニオン２４を
矢印ｉ方向に回転させて、大径歯車４９をクラッチ歯車５１に噛合させることにより、第
２クラッチ機構３６をクラッチオン状態とし、従動ピニオン２４をフィードモータ１７に
連動連結する。
【００２６】
続いて、フィードモータ１７で従動ピニオン２４を矢印ｉ方向にほぼ１周近く回転させ
ることにより、切換ラック２３を介してカムスライダ７を一方向ｃにスライドさせ、カム
溝８及びカムピン６を介してトラバースホルダ５が下降され〔図５（ｃ）参照〕、前側ダ
ンパー４を介してトラバースシャーシ３の前部が押し下げられる。これにより、該トラバ
ースシャーシ３が後側ダンパー４を中心に下動ｅされ、ターンテーブル１０がトレイ１よ
りも下がって、該ターンテーブル１０上のディスクＤがトレイ１に受け渡される（図９参
照）。
【００２７】
前記カムスライダ７が一方向ｃにスライドされて左端に達する直前に、各ガイドピン２
６ａ，２６ｂが各ガイド溝２７ａ，２７ｂのコーナ斜面３０に押し付けられて、トレイ１
をわずかに前進ａさせ、トレイラック２５を従動ピニオン２４に噛合させ、それと同時に
、切換ラック２３が従動ピニオン２４から外れて縁が切れる（図９参照）。
【００２８】
その後、前記従動ピニオン２４の正転ｉにより、トレイラック２５を介してトレイ１が
前進ａされ（図１０参照）、その最前進ａ状態のトレイ１からディスクＤを取り出したり
、そのトレイ１上に新たなディスクＤを載置した後、エジェクト釦を押すことにより、上
記と逆の手順でプレイモードに戻される。
【００２９】
上記構成によれば、図１１に示すように、光ピックアップ１２を前進ａさせて該光ピッ
クアップ１２の対物レンズの中心からターンテーブル１０の中心までの距離Ｈが最小規格
間隔（例えば２２ｍｍ）に達したときから光ピックアップ１２をスピンドルモータ１１に
当接させて前進ａを停止させるまでの遊び間隔αが規格でメインラック１４Ａのモジュー
ルよりも短く設定（例えば０．５ｍｍ）されている場合でも、その遊び間隔α分だけ光ピ
ックアップ１２が進む間に、メインラック１４Ａの後部を形成する補助ラック３３を駆動
ピニオン１５から離間させて、その駆動ピニオン１５とメインラック１４Ａとの噛合いが
解消されるので〔図７（ｂ）参照〕、その噛合いが従来のように解消されずにフィードモ
ータ１７に過大な負荷がかって故障するという事故を防ぐことができる。
【産業上の利用可能性】
【００３０】
上記実施の形態では、ＤＶＤレコーダを例にあげて説明したが、これに限定されるわけ
ではなく、例えばＤＶＤプレーヤやＣＤプレーヤなどの各種のディスク装置にも適用され
る。
【図面の簡単な説明】
【００３１】
【図１】本発明の実施の一形態であるＤＶＤプレーヤのプレイモードを示す平面図である。
【図２】同裏面図である。
【図３】同縦断面図である。
【図４】同第２クラッチ機構付近の斜視図である。
【図５】（ａ）は同プレイモードを示す横断面図、（ｂ）はエジェクトモードの前半を示す横断面図、（ｃ）はエジェクトモードの後半を示す横断面図である。
【図６】同ダブルラックの斜視図である。
【図７】（ａ）は同プレイモードを示す概略平面図、（ｂ）はエジェクトモードの前半を示す概略平面図である。
【図８】同エジェクトモードの後半を示す概略平面図である。
【図９】同エジェクトモードの後半を示す平面図である。
【図１０】同エジェクトモードの後半を示す縦断面図である。
【図１１】同メインラックの切換え原理を示す要部の概略平面図である。
【図１２】従来例を示す平面図である。
【図１３】（ａ）はプレイモードを示す縦断面図、（ｂ）はエジェクトモードを示す縦断面図である。
【図１４】（ａ）は同エジェクトモードの前半を示す概略平面図、（ｂ）はエジェクトモードの後半を示す概略平面図である。
【図１５】同メインラックの切換え原理を示す要部の概略平面図である。
【符号の説明】
【００３２】
１          トレイ
２          ローダーシャーシ
３          トラバースシャーシ
３ａ        ストッパ
１０        ターンテーブル
１１        スピンドルモータ
１２        光ピックアップ
１４        ダブルラック
１４Ａ      メインラック
１４Ｂ      サブラック
１５        駆動ピニオン
１７        フィードモータ
１９        プレートトリガ
３２        凹溝
３３        補助ラック
３４        弾性支持機構
３８        回動アーム
３９        弾性アーム
４０        操作レバー
４１        軸孔
４３，４４  係合ピン
Ｄ          ディスク
ａ，ｂ      前後進
ｅ，ｆ      上下動
ｇ，ｈ      正逆回転
【図１】
2006024314.tif 000003
【図２】
2006024314.tif 000004
【図３】
2006024314.tif 000005
【図４】
2006024314.tif 000006
【図５】
2006024314.tif 000007
【図６】
2006024314.tif 000008
【図７】
2006024314.tif 000009
【図８】
2006024314.tif 000010
【図９】
2006024314.tif 000011
【図１０】
2006024314.tif 000012
【図１１】
2006024314.tif 000013
【図１２】
2006024314.tif 000014
【図１３】
2006024314.tif 000015
【図１４】
2006024314.tif 000016
【図１５】
2006024314.tif 000017